(57)【要約】  【課題】  半導体ＤＡＡを備えた通信装置であっても、送信元特定情報が通信装置に送信されてくる以前に、交換機と通信装置が通信可能な状態に閉結することが可能で、確実に送信元特定情報を受信可能な通信装置およびこの通信装置を含む通信システムを提供することを目的とする。  【解決手段】  複合機１は、回線インターフェース１１３が送信元特定情報を受信できたときの閉結条件を一の閉結条件として予めＥＥＰＲＯＭ１０９に記憶しておき、かつ、第１呼出信号および第２呼出信号のいずれにともなう回線閉結であるかを判別するようにしたものであって、この判別結果が第１呼出信号にともなう回線閉結であると判別したとき、この予め記憶された一の閉結条件で回線閉結を行う一方、第２呼出信号にともなう回線閉結であると判別したとき、その時点で前記調整手段により調整された他の閉結条件で回線閉結を行うものである。【選択図】        図１
2006352311.tif 000002
【特許請求の範囲】
【請求項１】
交換機から公衆通信回線を介して送信される送信元を特定する送信元特定情報を受信可能な通信装置であって、
前記公衆通信回線に接続され、前記送信元特定情報と、この送信元特定情報に先立ち送信される第１呼出信号と、この送信元特定情報の送信後に送信される第２呼出信号を受信するとともに、前記第１呼出信号および第２呼出信号の受信にともなう回線閉結を制御する半導体化ＤＡＡを備えた通信手段と、
前記通信手段による回線閉結動作後の回線電圧を検出する電圧検出手段と、
前記電圧検出手段により検出された回線電圧値が、予め定めた回線電圧値と回線電流値の関係に対して所定の範囲内に収束するように閉結条件を調整する調整手段と、
前記通信手段が、前記交換機と通信可能な状態で公衆通信回線を介して接続されたときの前記調整手段による閉結条件を一の閉結条件として予め記憶する記憶手段と、
前記第１呼出信号および第２呼出信号のいずれにともなう回線閉結であるかを判別する信号判別手段と、を備え、
前記通信手段は、
前記信号判別手段により第１呼出信号にともなう回線閉結であると判別したとき、前記記憶手段に予め記憶された一の閉結条件で回線閉結を行い、
前記信号判別手段により第２呼出信号にともなう回線閉結であると判別したとき、その時点で前記調整手段により調整された他の閉結条件で回線閉結を行う
ことを特徴とする通信装置。
【請求項２】
前記通信手段に、新たに公衆通信回線が接続されたことを検出する回線接続検出手段を備え、
前記回線接続検出手段により、新たな公衆通信回線への接続が検出された状態における最初の発呼動作に基づく回線閉結動作がなされたとき、前記調整手段は、前記予め定めた回線電圧値と回線電流値の関係に対して所定の範囲内に収束するように閉結条件を調整するとともに、前記最初の発呼に基づく閉結条件を、前記記憶手段が記憶する前記一の閉結条件として、前記記憶手段は記憶する
ことを特徴とする請求項１に記載の通信装置。
【請求項３】
前記調整手段は、
前記記憶手段に一の閉結条件が記憶されているか否か判別する記憶判別手段を備え、
前記記憶判別手段により一の閉結条件が記憶されていると判別されたとき、前記調整手段は、前記他の閉結条件の調整を、前記一の閉結条件を調整の初期設定として開始する
ことを特徴とする請求項１または請求項２に記載の通信装置。
【請求項４】
交換機から公衆通信回線を介して送信される送信元を特定する電話番号を送受信可能な通信装置と、前記通信装置と公衆通信回線を介して接続され、前記電話番号を送受信可能な応答装置とを含み、前記通信装置が、前記応答装置の電話番号の受信を行い得るかを確認可能な通信システムであって、
前記通信装置は、
前記公衆通信回線に接続され、前記電話番号と、この電話番号に先立ち送信される第１呼出信号と、この電話番号の送信後に送信される第２呼出信号を受信するとともに、前記第１呼出信号および第２呼出信号の受信にともなう回線閉結を制御する半導体化ＤＡＡとを備えた通信手段と、
前記通信手段による回線閉結動作後の回線電圧を検出する電圧検出手段と、
前記電圧検出手段により検出された回線電圧値が、予め定めた回線電圧値と回線電流値の関係に対して所定の範囲内に収束するように閉結条件を調整する調整手段と、
前記通信手段が、前記交換機と通信可能な状態で公衆通信回線を介して接続されたときの前記調整手段による閉結条件を一の閉結条件として予め記憶するとともに、前記応答装置の電話番号を記憶する記憶手段と、
前記第１呼出信号および第２呼出信号のいずれにともなう回線閉結であるかを判別する信号判別手段と、
前記記憶手段に記憶された前記電話番号を用いて応答装置に対して、前記通信装置の電話番号をともない発呼する通信装置側発呼手段と、
前記発呼手段による発呼を指示する指示手段と
前記指示手段による発呼を条件としてなされる前記応答装置から着呼に際し、前記通信手段は、前記信号判別手段により第１呼出信号にともなう回線閉結であると判別したとき、前記記憶手段に予め記憶された一の閉結条件で回線閉結を行い、前記応答装置の電話番号を受信できたか否かを確認する確認手段と、を備え、
前記応答装置は、
前記通信手段からの電話番号をともなう発呼を受信する受信手段と、
前記受信手段が受信した電話番号を用いて発呼してきた通信装置に、応答装置の電話番号をともない発呼する応答装置側発呼手段と、を備え
たことを特徴とする通信システム。
【請求項５】
交換機から公衆通信回線を介して送信される送信元を特定する送信元特定情報を受信可能な通信装置を制御するコンピュータ読み取り可能なプログラムであって、
前記コンピュータを、
前記公衆通信回線に接続され、前記送信元特定情報と、この送信元特定情報に先立ち送信される第１呼出信号と、この送信元特定情報の送信後に送信される第２呼出信号を受信するとともに、前記第１呼出信号および第２呼出信号の受信にともなう回線閉結を制御する半導体化ＤＡＡを備えた通信手段と、
前記通信手段による回線閉結動作後の回線電圧を検出する電圧検出手段と、
前記電圧検出手段により検出された回線電圧値が、予め定めた回線電圧値と回線電流値の関係に対して所定の範囲内に収束するように閉結条件を調整する調整手段と、
前記通信手段が、前記交換機と通信可能な状態で公衆通信回線を介して接続されたときの前記調整手段による閉結条件を一の閉結条件として予め記憶する記憶手段と、
前記第１呼出信号および第２呼出信号のいずれにともなう回線閉結であるかを判別する信号判別手段として機能させるとともに、
前記通信手段は、
前記信号判別手段により第１呼出信号にともなう回線閉結であると判別したとき、前記記憶手段に予め記憶された一の閉結条件で回線閉結を行い、
前記信号判別手段により第２呼出信号にともなう回線閉結であると判別したとき、その時点で前記調整手段により調整された他の閉結条件で回線閉結を行うように制御する
ことを特徴とするコンピュータ読み取り可能なプログラム。
【発明の詳細な説明】
【技術分野】
【０００１】
交換機から公衆通信回線を介して送信される、電話番号等の送信元を特定する送信元特定情報を受信可能な電話機、ファクシミリ装置その他の通信装置およびこの通信装置を含む通信システムに関するものである。
【背景技術】
【０００２】
従来、通信装置として、送信元から発呼があった場合に、この送信元から送信される送信元特定情報を示すデータを受信し、その受信したデータを送信元特定情報として通信装置に設けられた液晶表示部に表示することができる（以下、「送信元特定情報通知サービス」ともいう。）ものが各種提案されている。
【０００３】
例えば、送信元の発呼に基づき交換機から１６Ｈｚの呼出信号が送信されてきたとき、その呼出信号のオン時間およびオフ時間が計測することにより、呼出信号の発信パターンを検出し、この検出した呼出信号の発信パターンが交換機からの１６Ｈｚ信号である第１呼出信号であるとき、これに対応した着信手順が実行する一方、一般的な呼出信号である第２呼出信号であるとき、通常の着信手順を実行するファクシミリ装置がある（例えば、特許文献１参照）。
【０００４】
また、公衆通信回線に接続され、呼出信号を受信するとともに、この呼出信号の受信にともなう回線閉結を制御する半導体化ＤＡＡを備えた通信手段を有する通信装置が提案されている（例えば、特許文献２参照）。
【０００５】
【特許文献１】特開平０９−２７０８７０号公報
【特許文献２】特開平０６−６２１４０号公報
【発明の開示】
【発明が解決しようとする課題】
【０００６】
しかしながら、上記従来の交換機から公衆通信回線を介して送信される送信元を特定する送信元特定情報を受信可能な通信装置において、正常に送信元特定情報を受信するためには、この送信元特定情報が通信装置に送信されてくる以前に、交換機と通信装置が通信可能な状態で閉結されている必要がある。
【０００７】
一方、半導体化ＤＡＡによる通信装置において、交換機と通信装置が通信可能な状態に閉結されるためには、回線電圧値と回線電流値の関係が所定の範囲内である必要があるところ、通信装置自体が回線閉結の動作を行ったとしても、両者の関係が所定の範囲内でなければ公衆通信回線全体としては未接続の状態となってしまう。
【０００８】
ここで、例えば、通信装置の工場出荷時に（これに限定されるものでないことは当然である。）、通信装置内部で回線電圧を設定するための条件を予め設定していた場合、次のような問題が生じる。すなわち、交換機と通信装置間の距離によって回線電流は変化、具体的には、両者が近ければ回線抵抗は小さくなり、一律に予め設定された回線電圧の下では、より大きな回線電流が流れてしまう（通信装置に対して悪影響）のに対し、遠ければ回線抵抗は大きくなり、僅かな回線電流しか流れないこととなる。
【０００９】
この結果、上記のとおり通信装置としては、正常に送信元特定情報を受信すべく回線閉結の動作を行ったにもかかわらず、公衆通信回線全体としては未接続となり、送信元特定情報を受信することができないという問題が生じる。
【００１０】
本発明は、半導体ＤＡＡを備えた通信装置であっても、送信元特定情報が通信装置に送信されてくる以前に、交換機と通信装置が通信可能な状態に閉結することが可能で、確実に送信元特定情報を受信可能な通信装置およびこの通信装置を含む通信システムを提供することを目的とする。
【課題を解決するための手段】
【００１１】
上記従来の課題に鑑みなされた本発明の通信装置は、通信手段が送信元特定情報を受信できたときの調整手段による閉結条件を一の閉結条件として予め記憶しておき、かつ、第１呼出信号および第２呼出信号のいずれにともなう回線閉結であるかを判別するようにしたものであって、この判別結果が第１呼出信号にともなう回線閉結であると判別したとき、この予め記憶された一の閉結条件で回線閉結を行う一方、第２呼出信号にともなう回線閉結であると判別したとき、その時点で前記調整手段により調整された他の閉結条件で回線閉結を行うものである。
【発明の効果】
【００１２】
本願の請求項１に係る発明によれば、送信元特定情報が通信装置に送信されてくる以前に、交換機と通信装置が通信可能な状態に閉結することが可能で、確実に送信元特定情報を受信可能な通信装置とすることができる。
【００１３】
請求項２に係る発明によれば、通信装置を公衆通信回線に接続した後の初めての着呼の際も、送信元特定情報が通信装置に送信されてくる以前に、交換機と通信装置が通信可能な状態に閉結することが可能で、確実に送信元特定情報を受信可能な通信装置とすることができる。
【００１４】
請求項３に係る発明によれば、交換機からの呼出信号を受信した後、通話を開始するまでの期間が短い通信装置とすることができる。
【００１５】
請求項４に係る発明によれば、事前に電話番号を受信可能か否かを確認することができる。
【００１６】
請求項５に係る発明によれば、通信装置を、送信元特定情報が通信装置に送信されてくる以前に、交換機と通信装置が通信可能な状態に閉結するように制御することが可能で、確実に送信元特定情報を受信可能な通信装置とすることができる。
【発明を実施するための最良の形態】
【００１７】
本願の請求項１に係る発明は、交換機から公衆通信回線を介して送信される送信元を特定する送信元特定情報を受信可能な通信装置であって、前記公衆通信回線に接続され、前記送信元特定情報と、この送信元特定情報に先立ち送信される第１呼出信号と、この送信元特定情報の送信後に送信される第２呼出信号を受信するとともに、前記第１呼出信号および第２呼出信号の受信にともなう回線閉結を制御する半導体化ＤＡＡを備えた通信手段と、前記通信手段による回線閉結動作後の回線電圧を検出する電圧検出手段と、
前記電圧検出手段により検出された回線電圧値が、予め定めた回線電圧値と回線電流値の関係に対して所定の範囲内に収束するように閉結条件を調整する調整手段と、前記通信手段が、前記交換機と通信可能な状態で公衆通信回線を介して接続されたときの前記調整手段による閉結条件を一の閉結条件として予め記憶する記憶手段と、前記第１呼出信号および第２呼出信号のいずれにともなう回線閉結であるかを判別する信号判別手段と、を備え、前記通信手段は、前記信号判別手段により第１呼出信号にともなう回線閉結であると判別したとき、前記記憶手段に予め記憶された一の閉結条件で回線閉結を行い、前記信号判別手段により第２呼出信号にともなう回線閉結であると判別したとき、その時点で前記調整手段により調整された他の閉結条件で回線閉結を行うことを特徴とする通信装置である。
【００１８】
これにより、信号判別手段により第１呼出信号にともなう回線閉結であると判別したときは、これを起点として調整手段による閉結条件（回線電圧と回線電流）の調整動作が不要であり、その結果、早期に公衆通信回線全体として接続された状態に移行することが可能となる。より具体的には、公衆通信回線全体の回線抵抗を考慮することなく、所定の回線電圧を条件として回線閉結動作を行った場合において生じ得る通信装置内の大きな回線電流を抑制しつつ、何らの調整動作なく短期間に交換機と通信装置を通信可能な状態に閉結させることができる。
【００１９】
なお、上記において、「その時点」とは、第２呼出信号にともなう回線閉結であると判別した時点のみならず、所定の時間範囲を含むものである。また、請求項１に係る通信装置を、送信元特定情報通知サービスに加入せずに使用した場合、または、加入しているものの通信装置側の設定でその利用を選択していない場合、通信手段は、信号判別手段により第２呼出信号にともなう回線閉結であると判別したときと同一の制御を行う。
【００２０】
請求項２に係る発明は、前記通信手段に、新たに公衆通信回線が接続されたことを検出する回線接続検出手段を備え、前記回線接続検出手段により、新たな公衆通信回線への接続が検出された状態における最初の発呼動作に基づく回線閉結動作がなされたとき、前記調整手段は、前記予め定めた回線電圧値と回線電流値の関係に対して所定の範囲内に収束するように閉結条件を調整するとともに、前記最初の発呼に基づく閉結条件を、前記記憶手段が記憶する前記一の閉結条件として、前記記憶手段は記憶することを特徴とする請求項１に記載の通信装置である。
【００２１】
これにより、着呼を受けずとも第１呼出信号受信にともなう回線閉結のための一の閉結条件を設定することができる。
【００２２】
なお、上記において、「最初の発呼動作」とは、現実の通信のためになされる発呼動作に限らず、利用者が単に受話器等を上げたことにともなうオフフック状態への移行も含むものである。
【００２３】
請求項３に係る発明は、前記調整手段は、前記記憶手段に一の閉結条件が記憶されているか否か判別する記憶判別手段を備え、前記記憶判別手段により一の閉結条件が記憶されていると判別されたとき、前記調整手段は、前記他の閉結条件の調整を、前記一の閉結条件を調整の初期設定として開始することを特徴とする請求項１または請求項２に記載の通信装置である。
【００２４】
これにより、送信元特定情報通知サービスの提供を受けることが可能な通信装置全体として、２回の回線閉結処理を短期間で行うことができる。より具体的に説明すれば、通信装置内部に大きな回線電流が流れないようにするため、回線電圧を極めて小さな値から徐々に適切な値になるように他の閉結条件を調整する必要がない、換言すれば、調整手段は他の閉結条件の調整に際し、このような問題が生じ得ない段階から第２呼出信号にともなう回線閉結のための調整を開始することができる。
【００２５】
請求項４に係る発明は、交換機から公衆通信回線を介して送信される送信元を特定する電話番号を送受信可能な通信装置と、前記通信装置と公衆通信回線を介して接続され、前記電話番号を送受信可能な応答装置とを含み、前記通信装置が、前記応答装置の電話番号の受信を行い得るかを確認可能な通信システムであって、前記通信装置は、前記公衆通信回線に接続され、前記電話番号と、この電話番号に先立ち送信される第１呼出信号と、この電話番号の送信後に送信される第２呼出信号を受信するとともに、前記第１呼出信号および第２呼出信号の受信にともなう回線閉結を制御する半導体化ＤＡＡとを備えた通信手段と、前記通信手段による回線閉結動作後の回線電圧を検出する電圧検出手段と、前記電圧検出手段により検出された回線電圧値が、予め定めた回線電圧値と回線電流値の関係に対して所定の範囲内に収束するように閉結条件を調整する調整手段と、前記通信手段が、前記交換機と通信可能な状態で公衆通信回線を介して接続されたときの前記調整手段による閉結条件を一の閉結条件として予め記憶するとともに、前記応答装置の電話番号を記憶する記憶手段と、前記第１呼出信号および第２呼出信号のいずれにともなう回線閉結であるかを判別する信号判別手段と、前記記憶手段に記憶された前記電話番号を用いて応答装置に対して、前記通信装置の電話番号をともない発呼する通信装置側発呼手段と、前記発呼手段による発呼を指示する指示手段と前記指示手段による発呼を条件としてなされる前記応答装置から着呼に際し、前記通信手段は、前記信号判別手段により第１呼出信号にともなう回線閉結であると判別したとき、前記記憶手段に予め記憶された一の閉結条件で回線閉結を行い、前記応答装置の電話番号を受信できたか否かを確認する確認手段と、を備え、前記応答装置は、前記通信手段からの電話番号をともなう発呼を受信する受信手段と、前記受信手段が受信した電話番号を用いて発呼してきた通信装置に、応答装置の電話番号をともない発呼する応答装置側発呼手段と、を備えたことを特徴とする通信システム。である。
【００２６】
これにより、第三者からの着呼によらずして、通信装置の利用者の意思で、応答装置からの着呼を受けることができる。
【００２７】
請求項５に係る発明は、交換機から公衆通信回線を介して送信される送信元を特定する送信元特定情報を受信可能な通信装置を制御するコンピュータ読み取り可能なプログラムであって、前記コンピュータを、前記公衆通信回線に接続され、前記送信元特定情報と、この送信元特定情報に先立ち送信される第１呼出信号と、この送信元特定情報の送信後に送信される第２呼出信号を受信するとともに、前記第１呼出信号および第２呼出信号の受信にともなう回線閉結を制御する半導体化ＤＡＡを備えた通信手段と、前記通信手段による回線閉結動作後の回線電圧を検出する電圧検出手段と、前記電圧検出手段により検出された回線電圧値が、予め定めた回線電圧値と回線電流値の関係に対して所定の範囲内に収束するように閉結条件を調整する調整手段と、前記通信手段が、前記交換機と通信可能な状態で公衆通信回線を介して接続されたときの前記調整手段による閉結条件を一の閉結条件として予め記憶する記憶手段と、前記第１呼出信号および第２呼出信号のいずれにともなう回線閉結であるかを判別する信号判別手段として機能させるとともに、前記通信手段は、前記信号判別手段により第１呼出信号にともなう回線閉結であると判別したとき、前記記憶手段に予め記憶された一の閉結条件で回線閉結を行い、前記信号判別手段により第２呼出信号にともなう回線閉結であると判別したとき、その時点で前記調整手段により調整された他の閉結条件で回線閉結を行うように制御することを特徴とするコンピュータ読み取り可能なプログラムである。
【００２８】
これにより、信号判別手段により第１呼出信号にともなう回線閉結であると判別したときは、これを起点として調整手段による回線電圧と回線電流の調整動作が不要であり、その結果、早期に公衆通信回線全体として接続の状態に移行することが可能となるように、通信装置を制御することができる。より具体的には、公衆通信回線全体の回線抵抗を考慮することなく、所定の回線電圧を条件として回線閉結動作を行った場合において生じ得る通信装置内の大きな回線電流を抑制しつつ、何らの調整動作なく短期間に交換機と通信装置が通信可能な状態に閉結させることができる。
【実施例】
【００２９】
以下、本発明の通信装置について、図面を用いて具体的に説明する。なお、本発明は以下に記載の構成に限定されるものではなく、同一の技術的思想において種々の構成を採用することが可能であることは云うまでもない。
【００３０】
（実施例１）
図１は、通信装置としてのいわゆる複合機の構成を示したものであり、この複合機１はファクシミリ機能、電話機能、プリンタ機能およびスキャナ機能を備えており、また、パーソナルコンピュータ（以下、「ＰＣ」という。）用インターフェース１１１を介してＰＣに接続することができる。そして、複合機１は、通信ユニット１０とプリンタユニット２０がインターフェース３０を介して接続されている。
【００３１】
通信ユニット１０には、通信制御回路１０１が設けられ、この通信制御回路１０１には複数の要素が接続されている。
【００３２】
ＣＰＵ１０３は、ＲＯＭ１０５に記憶された制御プログラム（下記処理を含む各処理を実行させるためのプログラム）にしたがい、通信ユニット１０自体を制御する。
【００３３】
不揮発性のメモリであるＥＥＰＲＯＭ１０９は、例えば、通信相手先の名称と送信元特定情報を関連付けて記憶し、いわゆる電話帳機能としての記憶手段として機能するとともに、回線インターフェース１１３が、送信元特定情報に先立ち送信される第１呼出信号（例えば、ハイレベル（Ｈ）とローレベル（Ｌ）の期間共に０．５ｓｅｃで、ハイレベル（Ｈ）の期間（６回）に交換機４０から送信される信号の周波数が１６Ｈｚの信号。）の受信にともなう回線閉結を行うために用いる交換機４０と通信可能な状態で公衆通信回線５０を介して接続されたときの一の閉結条件（換言すれば、送信元特定情報を受信できたときの一の閉結条件。）を記憶する。
【００３４】
回線インターフェース１１３は半導体化ＤＡＡ１１３０（図２参照。）を備えており、直接、公衆通信回線５０を介して交換機４０に接続されるものであり、送信元特定情報と、この送信元特定情報に先立ち送信される第１呼出信号と、この送信元特定情報の送信後に送信される第２呼出信号（例えば、ハイレベル（Ｈ）の期間が１ｓｅｃ，ローレベル（Ｌ）の期間が２ｓｅｃで、ハイレベル（Ｈ）の期間に交換機４０から送信される信号の周波数が１６Ｈｚの信号。）を受信するとともに、これら第１呼出信号および第２呼出信号の受信にともなう回線閉結を制御する。
【００３５】
なお、送信元特定情報は、例えば、送信元の電話番号、名称またはこれら両方を含むものである。
【００３６】
通信モデム１１５は、通信相手先（図示せず。）との間で送受信されるデータ、例えば、スキャナ１２３により読み取られ、ＲＡＭ１０７に一時的に記憶されている画像データを符号器１１９で圧縮し、この圧縮されたデータを変調し、また、通信相手先から送信されてきた画像データを復調する。なお、通信モデム１１５により復調されたデータは復号器１２１で解凍され利用される。
【００３７】
その他、複合機１の利用者がその操作を行う操作パネル１２５、各種情報を利用者に提示するための液晶（ＬＣＤ）ディスプレイ１２７等により、通信ユニット１０は構成されている（詳細は図１参照。）。
【００３８】
図２は、回線インターフェース１１３を示すブロック図である。回線インターフェース１１３に備えられた半導体化ＤＡＡ１１３０は、第１，２呼出信号の検出、受信等の機能を備えている。
【００３９】
半導体化ＤＡＡ１１３０と通信モデム１１５は、絶縁部１１４を介して接続されている。この絶縁部１１４は、半導体化ＤＡＡ１１３０と通信モデム１１５とを直流的に絶縁し、かつ、データおよび信号等を伝達する絶縁部である。
【００４０】
また、回線インターフェース１１３は、整流器１１３２および直流ループカット用コンデンサ１１３４ａ〜ｄ等が設けられている。なお、Ｌ１、Ｌ２は公衆通信回線５０が接続される端子である。
【００４１】
整流器１１３２は、公衆通信回線５０の直流ループ電流の極性を一方向へ整流するものである。半導体化ＤＡＡ１１３０の電源は、トランス１１３８を介して通信モデム１１５から供給され、整流器１１３２により整流されて公衆電話回線５０の電圧極性に関係なく一定極性の電圧になる。
【００４２】
電圧検出回路１１３６は整流器１１３２により整流されて半導体ＤＡＡ１１３０に供給される電圧を計測するものである。電圧検出回路１１３６による検出結果は、半導体化ＤＡＡ１１３０から、通信モデム１１５を介して、ＣＰＵ１０３へ出力される。
【００４３】
ハイブリットネットワーク１１４０は、回線閉結および開放を行うためのものであり、公衆通信回線５０からのファクシミリデータを送信または受信データに分離する２線−４線変換回路、送信データの受信経路への回り込みを抑制するキャンセラー回路およびフィルタ回路等から構成される。
【００４４】
ＣＯＤＥＣ１１４２は、ファクシミリ受信データおよび送信データのＡ／Ｄ変換とＤ／Ａ変換を行うためのものである。また、ＣＯＤＥＣ１１４２は公衆通信回線５０からのトーン信号を検出すると、トーン検出信号をＣＰＵ１０３に対して送信し、ＣＰＵ１０３はこれを検出する。
【００４５】
リング検出回路１１４４に公衆通信回線５０から第１または２呼出信号が到来すると、リング検出回路１１４４からこれら呼出信号と同一サイクルでかつ波形がローレベル（Ｌ）からハイレベル（Ｈ）へ、または、ＨからＬに変化するリング検出信号が、シリアルインターフェース１１４８、絶縁部１１４のコンデンサ１１４ａおよび通信モデム１１５を介してＣＰＵ１０３に送出され、ＣＰＵ１０３に検出される。
【００４６】
トランジスタ１１４６は、電圧計測回路１１３６により計測される回線閉結時の回線電圧が予め定められた電圧電流特性となるように、ベース電位を変えることにより、半導体化ＤＡＡ１１３０の見かけ上の抵抗値を調整するためのものである。
【００４７】
なお、回線電流は、電圧検出回路１１３６により検出された回線電圧とこの半導体化ＤＡＡ１１３０の見かけ上の抵抗値を用いて、ＣＰＵ１０３により算出される。
【００４８】
シリアルインターフェース１１４８は、リング検出回路１１４４からのリング検出信号等の各信号、ＣＯＤＥＣ１１４２からのファクシミリ受信データを、絶縁部１１４のコンデンサ１１４ｂに対しシリアルデータに一本化するものである。そして、このシリアルデータの一本化とともに、公衆通信回路５０を介した交換機４０との回線閉結または開放を半導体化ＤＡＡに行わせるための制御信号、ＣＯＤＥＣ４０へのＦＡＸ送信データに対し、絶縁部１１４のコンデンサ１１４ａからのシリアル信号をそれぞれに分離するものである。
【００４９】
プリンタユニット２０には、プリンタ制御回路２０１が設けられ、このプリンタ制御回路２０１には、プリンタユニット２０の各種動作を制御するＣＰＵ２０３等が接続されている（詳細は図１参照。）。
【００５０】
図３は、交換機４０から複合機１に送信されてくる信号を示した図である。先ず、極性反転信号（図示せず。）が交換機４０から送信されてきた後、第1呼出信号が送信されてくる。回線インターフェース１１３が第１呼出信号を受信すると、次に送信されてくる送信元特定情報を受信するために、回線インターフェース１１３は交換機４０との回線閉結処理を行う。
【００５１】
なお、本実施例においける「回線閉結処理」とは、複合機１と交換機４０とが通信可能な状態に閉結されるための一連の処理をいう。また、「回線閉結動作」とは、複合機１と交換機４０とが通信可能な状態に閉結されるため複合機１が行う動作をいい、複合機１と交換機４０とが通信可能な状態に閉結されたか否かを問題としているものではない。
【００５２】
回線閉結動作後、適正範囲内に回線電圧と回線電流を設定することで第１呼出信号に基づく回線閉結処理を終了する（詳細は後述。）。なお、この回線閉結処理は図３に記載の第１閉結期間内に行われる。
【００５３】
回線インターフェース１１３は送信元特定情報を受信し、送信元特定情報はＲＡＭ１０７に記憶される。その後、回線インターフェース１１３は、一端、交換機４０との接続を開放する（図３の「回線開放」の期間内に開放される。）。
【００５４】
そして、当該通信がファクシミリ通信であれば、回線インターフェース１１３は、第２呼出信号の受信に基づき自動的に再度の回線閉結動作を行い、交換機４０との回線閉結処理が行われる。また、当該通信が電話通信であれば、この第２呼出信号の受信に基づき、複合機１に備えられたスピーカ（図示せず。）を介して呼出音を発し、着信があったことを複合機１の利用者に知らせる。そして、利用者がこの呼出音に応じて受話器１０を取り上げることを条件に、回線インターフェース１１３は、再度、回線閉結動作を行い、交換機４０との回線閉結処理が行われる。
【００５５】
ここで、第２呼出信号に基づく回線インターフェース１１３の回線閉結は、その後に送信元特定情報のような特別の信号が送信されてくるものではなく、回線閉結を条件に相手側との通話が開始され、または、ファクシミリデータ本体が送信されてくるものである。したがって、第２呼出信号の受信を条件とした交換機４０との回線閉結動作は、相手側との通話またはファクシミリデータの受信が確実に行うことが可能となるよう、正確に行う必要がある。
【００５６】
これに対して、第１呼出信号に基づく回線インターフェース１１３の回線閉結は、その後に唯一１回交換機４０が判断するタイミングで送信されてくる送信元特定情報受信を確実に受信することが重要である。すなわち、この受信に失敗すれば、第２呼出信号を条件とした回線閉結前にこの送信元特定情報をＬＣＤディスプレイ１２７に表示することができなくなってしまう。
【００５７】
次に、図４を用いて、半導体ＤＡＡを備えた回線インターフェース１１３による回線閉結処理について説明する。
【００５８】
まず、ＣＰＵ１０３は回線インターフェース１１３により受信された呼出信号が第１呼出信号か否かを判断し（ステップ１０）、第１呼出信号ではない（ステップ１０：Ｎｏ）、換言すれば、第２呼出信号であるとき、回線インターフェース１１３は、回線閉結動作を行い、その閉結時の回線電圧を測定する（ステップ３０）。
【００５９】
そして、ステップ３０により測定された回線電圧値と、算出された回線電流値が所定の範囲内に収束したか否かを判断する（ステップ４０）。そして、この判断において、収束したと判断できたとき（ステップ４０：Ｙｅｓ）は回線閉結処理を終了し、その後、通信相手先との通信が開始される。
【００６０】
一方、ステップ４０で収束していない（ステップ４０：Ｎｏ）と判断されるとき、調整は未だ終了していないため、ステップ５０に移行する。
【００６１】
第２呼出信号に基づく回線閉結処理は、確実に複合機１内部に大電流が流れないようにするため、トランジスタ１１４６により設定される半導体化ＤＡＡ１１３０の見かけ上の抵抗値を大きくして行うものであるから、その後、これを下げるべくトランジスタ１１４６のベース電位（パラメータ）を段階的に調整し、回線電圧値と回線電流値の関係が所定の範囲内に収束するようにする（ステップ５０）。そして、ステップ４０で収束したと判断（ステップ４０：Ｙｅｓ）されるまで、この処理を繰り返す。
【００６２】
また、ステップ１０で、第１呼出信号であると判断されたとき（ステップ１０：Ｙｅｓ）は、上記の調整処理を行うことなく、ＥＥＰＲＯＭ１０９に記憶されている、交換機４０と通信可能な状態で公衆通信回線５０を介して接続されたときのトランジスタ１１４６のベース電位で回線閉結動作を行い、回線閉結処理を終了する。
【００６３】
ここで、複合機１の使用開始等初期状態において、ＥＥＰＲＯＭ１０９に記憶されるトランジスタ１１４６のベース電位は、種々の方法により事前に設定することができる。
【００６４】
好適には、端子Ｌ１、Ｌ２（図２参照。）に、公衆通信回線５０が接続された後に利用者が受話器６０を取り上げる等の動作（発信動作）を行ったとき、ステップ１０の判断において「Ｎｏ」とされた後のステップ３０〜５０を行うことで設定可能である。
【００６５】
すなわち、発呼の場合も、交換機４０と通信可能な状態で接続されている必要があり、このような状態への移行に際し、トランジスタ１１４６のベース電位が調整されるように通信ユニット１０は制御されるため、このような動作を介して調整されたトランジスタ１１４６のベース電位をＥＥＰＲＯＭ１０９が記憶するようにすればよい。なお、この発呼動作は、ＲＯＭ１０５に記憶されたプログラムに基づきＣＰＵ１０３により実行される。また、かかる場合、交換機４０からの送信されてくるダイヤルトーンを検出できれば、公衆通信回線全体として接続されたこととなるため、トランジスタ１１４６のベース電位の調整が完了したものとみなすことができる。
【００６６】
さらに、端子Ｌ１、Ｌ２（図２参照。）に、公衆通信回線５０が接続されと後、初めての着信の際は、ステップ１０における判断にかかわらず、ステップ３０〜５０のルートが実行されるようにしておき、そこで、調整されたトランジスタ１１４６のベース電位をＥＥＰＲＯＭ１０９が記憶するようにすることもできる。
【００６７】
なお、初期状態においては、上記各方法により調整されたベース電位が、図４のステップ２０における「前回の回線閉結時のパラメータ」に相当し、これが、交換機４０と通信可能な状態で公衆通信回線を介して接続された一の閉結条件となり、以降、ステップ１０において第１呼出信号であると判断されれば、このようにして、調整されたベース電位にしたがえばよい。
【００６８】
ここで、端子Ｌ１、Ｌ２への公衆通信回線５０の接続は、例えば、端子Ｌ１、Ｌ２間の抵抗を測定することにより検出することが可能である。
【００６９】
次に、図４のステップ５０におけるパラメータ調整について図４を参照しつつ、図５を用いて具体的に説明する。まず、図５は横軸を回線電流値、縦軸を回線電圧値とし、両者の関係を示した概念図であり、両軸において矢印の方向に向かうにしたがい、その値が増加しているものとする。
【００７０】
図中の破線は半導体化ＤＡＡによる回線閉結にあたり予め定められた回線電圧値と回線電流値の境界を示すものであり、これら２本の破線により囲まれる範囲Ａ内（適正範囲）になるように回線電圧値と回線電流値を設定する必要がある。これに対し、図中の実線は、当該適正範囲にある回線電圧値と回線電流値の関係である。
【００７１】
本実施例における複合機１では、この実線を基準としてこれに近似（同一含む。）する回線電圧値と回線電流値になるよう、トランジスタ１１４６のベース電位を段階的に調整するものである。なお、この基準となる実線は、範囲Ａに属する複数の点（例えば、５点）に基づき定められたものである。
【００７２】
今、ステップ１０において、第２の呼出信号であると判断されたとき（ステップ１０：Ｙｅｓ）、この判断に基づき回線閉結動作を行ったときの回線電圧値と回線電流値をプロットした点を点ａとすると、点ａは、基準線から離れている（基準線に対して予め定めた範囲外に点ａがあり、基準との関係において収束（近似）していない）ため、ステップ４０では「Ｎｏ」と判断され、ステップ５０で、トランジスタ１１４６のベース電位を一段階（予め定めた分）変化させる。
【００７３】
そして、この変化させたときの両者の関係を示したものが点ｂである。点ｂは点ａと比較して、基準線に対して収束（近似）してきているものの、点ａ同様基準線に対する所定の条件を満たしていないと判断し（ステップ４０：Ｎｏ）、再度、ベース電位を一段階変化させる（ステップ５０）。この再度の上昇による両者の関係を示したものが点ｃであり、点ｃは基準線に対して予め定められた範囲内に収束していると判断し（ステップ４０：Ｙｅｓ）回線閉結処理を終了する。
【００７４】
これに対して、ステップ１０において第１呼出信号であると判断されたときは、上記各ステップを実行することなく、以前に、点ｃを満たしたベース電位をＥＥＰＲＯＭ１０９に記憶しておき、当初よりこのベース電位に調整することとしている。
【００７５】
なお、第１呼出信号に基づくこのような設定は、複合機１の設置場所に変更がなければ交換機４０との間の回線抵抗に変更がないため問題とはならないという判断に基づくものである。したがって、上記説明では、ステップ１０において第２呼出信号であるときは、複合機１に対して悪影響を及ぼすことのないベース電位（点ａとなるようなベース電位）から段階的に調整しているが、調整の初期値をＥＥＰＲＯＭ１０９に記憶されているベース電位としてもよく、これによれば、第２呼出信号に基づく回線閉結をより確実な回線閉結を確保しつつ、より迅速な回線閉結を実現できる。
【００７６】
（実施例２）
本実施例では、第１呼出信号の受信にともなう回線閉結を行うために用いる回線インターフェース１１３が、交換機４０と通信可能な状態で公衆通信回線５０を介して接続されるときに用いるＥＥＰＲＯＭ１０９に記憶された一の閉結条件により、送信元特定情報を受信できるか否かを自動的に確認可能な通信システムについて説明する。なお、この複合機１が、送信元特定情報通知サービスとしての電話番号通知サービスに加入している場合を前提にその説明を行う。
【００７７】
図６は、本実施例に係る通信システムの概要を示したものであり、通信システムは、複合機１と、サービスセンター７０が交換機４０を介して公衆通信回線５０により接続されている。
【００７８】
複合機１の基本構成は上記実施例１と同様であるが、さらに、本実施例ではこれに加え、次の構成を備えている。すなわち、ＥＥＰＲＯＭ１０９は、一の閉結条件の他、サービスセンター７０の電話番号（以下、サービスセンター７０の電話番号を「０５２−８２４−ＸＸＸＸ」として説明する。）を事前（例えば、複合機１の生産段階）に記憶している。
【００７９】
また、ＲＯＭ１０９には、操作パネル１２５を介して、このサービスセンター７０の電話番号への発呼指示がなされたとき、これを発呼し、ＥＥＰＲＯＭ１０９に記憶された一の閉結条件によって、送信元の電話番号を受信できるか否かを確認可能なプログラムが記憶されている。なお、この自動発呼は、端子Ｌ１、Ｌ２（図２参照。）に、公衆通信回線５０が接続されたことを検出したとき、自動的に行われるようにしても良い。
【００８０】
図７は、ＥＥＰＲＯＭ１０９に記憶された一の閉結条件の是非を確認する自動確認処理に係る処理手順のうち、上記サービスセンター７０との間で行われる複合機１の電話番号をサービスセンター７０に伝えるための発呼処理の手順を示した図である。なお、この発呼動作は、後にサービスセンター７０複合機１になされる発呼のためになされるものである。
【００８１】
この自動確認処理の指示が、操作パネル１２５を介して利用者から指示されたとき、複合機１のＣＰＵ１０５は、既に、この処理が行われているか否かを判断する（ステップ１００）。そして、自同確認を行っていれば（ステップ１００：Ｙｅｓ）、自同確認処理を終了する。
【００８２】
これに対し、未だ自動確認を行っていなければ（ステップ１００：Ｎｏ）、複合機１はＥＥＰＲＯＭ１０９に事前に記憶されたサービスセンター７０の電話番号にしたがい、サービスセンター７０に発呼する（ステップ１１０）。なお、このサービスセンター７０への発呼は、サービスセンター７０から複合機１への発呼を行うために、複合機１の電話番号をサービスセンター７０に伝えることを目的とするものである。したがって、複合機１側の送信元特定情報通知サービスへの加入状況の如何に係わらず、サービスセンター７０に対し複合機１の電話番号を送信するため、複合機１は自らの電話番号を強制的に送信するような、サービスセンター７０の電話番号に所定の番号を付加して発呼するようにすることが好適である。
【００８３】
次に、複合機１は、ステップ１１０での発呼に対し、リング検出回路１１４４が、リングバックトーンを検出したか否かを判断する（ステップ１２０）。リングバックトーンを検出していれば（ステップ１２０：Ｙｅｓ）、サービスセンター７０に適切に複合機１の電話番号を送信できたものとして、自動確認処理を終了する。また、リングバックトーンを検出していなければ（ステップ１２０：Ｎｏ）、サービスセンター７０への発呼開始から所定の時間が経過したか否かを判断する。所定の時間が経過していなければ（ステップ１３０：Ｎｏ）、ステップ１３０に戻り、リングバックトーンが検出されたか否かを判断する。また、所定の時間が経過していれば、サービスセンター７０に発呼できないと判断し、後に発呼するようにリダイヤルを設定し（ステップ１４０）、自動確認処理を終了する。なお、ステップ１４０で、リダイヤルの設定がなされた場合、所定時間経過後に、再度、この発呼動作の手順が行われる。
【００８４】
図８は、自動確認処理において図７の発呼処理に関連して、サービスセンター７０から複合機１になされる発呼（ファクシミリ送信）に対する複合機１の着信処理の手順を示した図である。この処理を実行することで、複合機１は、ＥＥＰＲＯＭ１０９に記憶された一の閉結条件の是非を確認することができる。
【００８５】
サービスセンター７０からの着信に際し、先ず、回線インターフェース１１３が第１呼出信号を検出したか否かを判断する（ステップ１５０）。回線インターフェース１１３が第１呼出信号を検出したとき（ステップ１５０：Ｙｅｓ）、この発呼が電話番号の送信をともなうものであると判断する（ステップ１６０）。
【００８６】
そして、第１呼出信号の受信後に送信されてくる電話番号を受信するために、回線インターフェース１１３は回線閉結動作を行うが、この回線閉結動作による回線閉結は、ＥＥＰＲＯＭ１０９に記憶された一の閉結条件により行い（ステップ１７０）、電話番号を受信する（ステップ１８０）。
【００８７】
次に、ステップ１７０による回線閉結によりステップ１８０においてサービスセンター７０の電話番号を受信できたか否かを判断し（ステップ１９０）、受信できた場合、第２呼出信号を検出したか否かを判断する（ステップ２２０）。なお、第２呼出信号を未検出のときは、これを検出するまで待機する（ステップ２２０：Ｎｏ）。
【００８８】
一方、ステップ１９０でサービスセンター７０の電話番号を受信できなかったとき、その原因を内容とする不具合情報をＲＡＭ１０９に保存し（ステップ２１０）、これをプリンタユニット２０にて印刷する。なお、ＲＡＭ１０９に保存した情報に対して所定の処理を施し、再度、サービスセンター７０にファクシミリ送信する構成としてもよい。かかる構成によれば、サービスセンター７０にて、不具合情報を解析し、適切な対策を検討した後、複合機１の利用者に対して、報告することができる。
【００８９】
ステップ２２０で第２呼出信号を検出した場合、回線インターフェース１１３は回線閉結動作を行う。なお、この閉結動作は、上記実施例１に記載のとおり行われる（例えば、図４参照。）。そして、ステップ２３０により回線閉結が行われたとき、ファクシミリ受信処理を行う（ステップ２４０）。
【００９０】
なお、初期設定としてＥＥＰＲＯＭ１０９に記憶した一の閉結条件によっては、電話番号を受信できなかった場合（ステップ１９０：Ｎｏ）、ステップ２３０において調整された閉結条件を、一の閉結条件としてＥＥＰＲＯＭ１０９に記憶すると好適である。
【図面の簡単な説明】
【００９１】
【図１】本発明実施例に係る複合機のブロック図
【図２】本発明の実施例に係る回線インターフェースを示すブロック図
【図３】本発明の実施例に係る交換機から複合機に送信されてくる信号を示した図
【図４】本発明の実施例に係る回線閉結処理の手順を示した図
【図５】本発明の実施例に係る回線電流値と回線電圧値の関係を示した図
【図６】本発明の実施例に係る通信システムを示す図
【図７】本発明の実施例に係る自動確認処理における発呼処理の手順を示した図
【図８】本発明の実施例に係る自動確認処理における着信処理の手順を示した図
【符号の説明】
【００９２】
１  複合機（通信装置）
１０  通信ユニット（通信装置）
１０９  ＥＥＰＲＯＭ（記憶手段）
１１３  回線インターフェース（通信手段、信号判別手段）
１１３０  半導体化ＤＡＡ
１１３６  電圧検出回路（電圧検出手段）
１１４６  トランジスタ（調整手段）
４０  交換機
５０  公衆通信回線
７０  サービスセンター（応答装置）
【図１】
2006352311.tif 000003
【図２】
2006352311.tif 000004
【図３】
2006352311.tif 000005
【図４】
2006352311.tif 000006
【図５】
2006352311.tif 000007
【図６】
2006352311.tif 000008
【図７】
2006352311.tif 000009
【図８】
2006352311.tif 000010